(57)【特許請求の範囲】
【請求項１】
相い対向した円環部の対向内面間に周方向に一定間隔をおいて柱部を一体に設け、各柱部相互間に針状ころを収納するポケットを形成し、上記各柱部の両側面にそれぞれころ案内面を形成し、上記各柱部両側面に外径側爪部と内径側爪部をそれぞれ設け、上記ポケットに収納した針状ころをこれらの各爪部により保持するようにした針状ころ軸受用保持器において、該保持器は鋼帯を打ち抜いて円筒状に形成されたものであり、上記円環部の外径面が外径案内面となった外径案内形式であり、各柱部において前記外径案内面の内側にその外径案内面よりも内径側に窪んだ段差部を設け、前記柱部の一側面ごとに前記段差部の両円環部に近い２個所とそれより内側の２個所にそれぞれ突起を形成し、前記両円環部に近い２個所の突起についてはその表面を外径側にしごき加工して前記の外径側爪部を形成し、残りの２個所の突起については内径側にしごき加工して前記の内径側爪部を形成し、各突起のしごき面により前記のころ案内面を形成したことを特徴とする針状ころ軸受用保持器。
【発明の詳細な説明】
【０００１】
【産業上の利用分野】
この発明は、針状ころ軸受用保持器に関するものである。
【０００２】
【従来の技術】
保持器付き針状ころ軸受に用いられる外径案内形式の保持器の形状は、例えば図９に示すように、相い対向した円環部１の対向内面に周方向に一定間隔をおいて柱部２を一体に設け、各柱部２相互間に針状ころ３を収納するポケット４を形成したものである。上記の各柱部２の両側面はころ案内面５となっている。
【０００３】
円環部１と柱部２の外径側の面は同一高さ（同一半径）に形成され、保持器自体の外径案内面６となっている。
【０００４】
各柱部２の外径面には、両側の各ころ案内面５に突き出した各一対の外径側爪部７が柱部２の長さ方向に適当な間隔をおいて２箇所に設けられる。また、各柱部２の内径面にも同様に、各一対の内径側爪部８が柱部２の両端近くに設けられる。
【０００５】
針状ころ３は柱部２を弾性変形させて嵌入（スナップイン）され、これらの外径側爪部７及び内径側爪部８により保持される。
【０００６】
なお、上記の各爪部７、８は、柱部２の一部をカシメることにより形成されるが、その他保持器の製作方法により、成形、シゴキ等により形成される。
【０００７】
上記のような保持器を用いた保持器付き針状ころ軸受は、相対的に回転する二つの部材間に介在され、その外径案内面６を外径側の部材で案内する。
【０００８】
内径案内形式の場合は、円環部１の内径面と柱部２の内径側の面を内径案内面とし、その内径案内面を内径側の部材で案内する。
【０００９】
【発明が解決しようとする課題】
前記の外径爪部及び内径側爪部は、それぞれ柱部の外径側両側面及び内径側両側面に突き出しているので、外径案内形式の場合は、外径側爪部が相手部材との間に介在する潤滑油の油膜を切りやすく、また内径案内形式の場合は、内径側爪部が油膜を切りやすい。油膜の切れた部分にころが接触すると、ころのその接触部分にピーリングが発生する原因となる。
【００１０】
そこで、この発明は、外径案内形式又は内径案内形式のいずれの場合でも、外径側爪部或いは内径側爪部が油膜を切ることがないようにした針状ころ軸受用保持器を提供することを目的とする。
【００１１】
【課題を解決するための手段】
上記の目的を達成するために、この発明は、相い対向した円環部の対向内面間に周方向に一定間隔をおいて柱部を一体に設け、各柱部相互間に針状ころを収納するポケットを形成し、上記各柱部の両側面によりそれぞれころ案内面を形成し、上記各柱部両側のころ案内面に外径側爪部と内径側爪部をそれぞれ設け、上記ポケットに収納した針状ころをこれらの各爪部により保持するようにした針状ころ軸受用保持器において、該保持器が外径案内形式の場合は、該保持器の外径面に外径案内面を設け、各柱部の外径側の面に前記外径案内面より窪んだ外径側段差部を設け、その段差部に前記外径側爪部を形成し、内径案内形式の場合は、該保持器の内径面に内径案内面を設け、各柱部の内径側の面に前記内径案内面より窪んだ内径側段差部を設け、その段差部に前記内径側爪部を形成した構成としたものである。
【００１２】
【作用】
上記の保持器は、外径案内形式の場合は、外径案内面より窪んだ段差部に外径側爪部を設けているので、その段差部の高さだけ外径側爪部が油膜から離れる。このため外径側爪部により油膜を切ることが避けられる。
【００１３】
また、内径案内形式の場合も同様に、内径側爪部が段差分だけ窪んでいるので、この場合も内径側爪部により油膜を切ることが避けられる。
【００１４】
【実施例】
図１及び図２に示した第１実施例及び図３に示した第２実施例の保持器は、いずれも鋼帯を打抜き、これを円筒状に形成したものであり、第１実施例は外径案内形式、第２実施例は内径案内形式である。
【００１５】
第１実施例の保持器は、相い対向した円環部１、１の対向内間に周方向に一定間隔をおいて柱部２を一体に設け、各柱部２相互間に針状ころ３を収するポケット４を形成している。上記の各柱部２の両側面がころ案内面５となる。
【００１６】
上記円環部１の外周面及び柱部２の両端部には、同一半径の外径案内面６が形成され、その柱部２の各外径案内面６の内側に内径側に窪んだ段差部１１が形成される。また両方の段差部１１相互間には、各段差部１１より更に窪んだ凹所９が形成される。
【００１７】
上記の各段差部１１の各側辺に近い部分にかしめ具を押し当てることにより、両側のころ案内面５に突き出した外径側爪部７が形成される。
【００１８】
柱部２の内径側においても、各円環部１に近い部分の各側辺に近い部分にかしめ具を押し当てることにより、両側のころ案内面５に突き出す内径側爪部８が形成される。
【００１９】
針状ころ３は、ポケット４の両側辺のころ案内面５に突き出した外側爪部７と内側爪部８とにより保持される。
【００２０】
上記の保持器を用いた保持器付きころ軸受は、その外径案内面６により案内されるが、外径側爪部７は前記の段差部１１の高さだけ外径案内面６に対して窪んでいるので、油膜を切ることができない。
【００２１】
図３に示した第２実施例の保持器は、円環部１の内径面及び柱部２の内径側の面に内径案内面１４が形成され、その柱部２の内径側の面に各円環部１に近い２箇所に上記内径案内面１４より外径側へ窪んだ段差部１１’を設けている。各段差部１１’の各側辺に近い部分に、前記と同様の内径側爪部８が形成され、柱部２の外径側の面に外径側爪部７が形成される。
【００２２】
針状ころ３は、ポケット４の両側面のころ案内面５に突き出した外径側爪部７と内径側爪部８とにより保持される。
【００２３】
上記の保持器を用いた保持器つき針状ころ軸受は、その内径案内面１４により案内されるが、内径側爪部８は、前記の段部１１’の高さだけ内径案内面１４に対して窪んでいるので油膜を切ることがない。
【００２４】
次に、図４及び図５に示した第３実施例及び図６に示した第４実施例は、焼結合金などの一体成形により形成されたものであり、第３実施例は外径案内形式、第４実施例は内径案内形式である。
【００２５】
第３実施例の保持器も同様に、一対の円環部１の対向面に周方向に一定間隔をおいて柱部２が形成される。
【００２６】
この保持器は、両方の円環部１の外径面が外径案内面６となっている。柱部２の両端部に、外径案内面６より内径側に窪んだ段差部１１が形成され、更に、柱部２の中央部分に内径側凹入した中間部１５が形成される。
【００２７】
上記段差部１１を形成した部分のころ案内面５はポケット４の内方へ突き出した外径側爪部７が形成される。
【００２８】
また、中間部１５のころ案内面５にポケット４の内方へ突き出した内径側爪部８が形成される。針状ころ３は、図５（ｂ）に示すように、外径側爪部７の内径辺のエッジと、内径側爪部８の外径辺のエッジとにより保持される。上記外径側爪部７は段差部１１の高さ分だけ外径案内面６よりも窪んでいる。
【００２９】
図６に示した第４実施例の場合は、円環部１の内径面と、中間部１５の内径面の一部が内径案内面１４となっており、その中間部１５、段差部１１’が設けられ、その段差部１１’に前記の内径側爪部８が形成される。
【００３０】
この内側爪部８は内径案内面１４よりも段差部１１’の分だけ外径側へ窪んでいるので、そのエッジで油膜を切ることがない。
【００３１】
次に、図７及び図８は、鋼帯を打抜き、円筒状に形成したものであり、外径案内形式の保持器であるが、柱部２の一方の側面ごとの４個所に突起１６を打抜きにより形成したのち、両円環部１に近い２個所の突起１６についてはその表面を外径側にしごき加工して外径側爪部７を形成し、残りの２個所の突起１６については内径側にしごき加工を施して内径側爪部８を形成したものである。各突起１６のしごき面によりころ案内面５が形成される。
【００３２】
円環部１の外径面が外径案内面６となっており、その外径案内面６の内側に段差部１１を設け、その段差部１１の柱部２の一側面ごとに前記の外径側爪部７と内径側爪部８を形成している。
【００３３】
この外径側爪部７は、段差部１１の高さ分だけ外径案内面６から窪んでいるので、油膜を切ることが避けられる。
【００３４】
【発明の効果】
以上のように、この発明は保持器の案内形式に応じてその案内面側の柱部の面に段差部を設け、その段差部にころ保持用の爪部を形成したものであるから、爪部がその段差部の高さ分だけ窪んだ位置となるので、その爪部によって油膜を切ることが避けられ、ピーリングの原因を除去する効果がある。
【図面の簡単な説明】
【図１】第１実施例の一部拡大斜視図
【図２】（ａ）同上の一部断面図
（ｂ）同上の１ａ−１ａ線の断面図
（ｃ）同上の平面図
【図３】第２実施例の一部拡大斜視図
【図４】第３実施例の一部拡大斜視図
【図５】（ａ）同上の一部断面図
（ｂ）同上の１ａ−１ａ線の断面図
（ｃ）同上の平面図
【図６】第４実施例の一部拡大斜視図
【図７】第５実施例の一部拡大斜視図
【図８】（ａ）同上の一部断面図
（ｂ）同上の８ａ−８ａ線の断面図
（ｃ）同上の平面図
【図９】従来例の一部拡大斜視図
【符号の説明】
１  円環部
２  柱部
３  ころ
４  ポケット
５  ころ案内面
６  外径案内面
７  外径側爪部
８  内径側爪部
９  凹所
１１、１１’  段差部
１４  内径案内面
１５  中間部
１６  突起
【図１】
0003609487.tif 000002
【図２】
0003609487.tif 000003
【図４】
0003609487.tif 000004
【図５】
0003609487.tif 000005
【図７】
0003609487.tif 000006
【図８】
0003609487.tif 000007
【図９】
0003609487.tif 000008
【図３】
0003609487.tif 000009
【図６】
0003609487.tif 000010